(57)【要約】【課題】暖房コストを低く抑えながら、室内を暖かく暖房することができる温水暖房機等を提供する。【解決手段】室内を加温する温水暖房用放熱器１に、該放熱器１の熱で水分を蒸発させ室内を加湿する加湿部３が付属して備えられている。また、放熱器１は複数備えられ、各放熱器１…に加湿部３が付属して備えられ、各放熱器１…に備えられた加湿部３に水分を供給する給水枝管５…が延ばされ、これら給水枝管５…はヘッダー４に接続され、該ヘッダー４は水道管６に接続され、該ヘッダー４を通じて各放熱器１…の加湿部３に給水されるようになされている。【選択図】      図１
2004301407.tif 000002
【特許請求の範囲】
【請求項１】
室内を加温する温水暖房用放熱器に、該放熱器の熱で水分を蒸発させ室内を加湿する加湿部が付属して備えられていることを特徴とする温水暖房機。
【請求項２】
室内を加温する温水暖房用放熱器が複数備えられ、各放熱器に、該放熱器の熱で水分を蒸発させ室内を加湿する加湿部が付属して備えられ、各放熱器に備えられた加湿部に水分を供給する給水枝管が延ばされ、これら給水枝管はヘッダーに接続され、該ヘッダーは給水源に接続され、該ヘッダーを通じて各放熱器の加湿部に給水されるようになされていることを特徴とする温水暖房システム。
【請求項３】
室内を加温する放熱器が複数備えられ、各放熱器に、該放熱器の熱で水分を蒸発させ室内を加湿する加湿部が付属して備えられ、各放熱器に備えられた加湿部に水分を供給する給水枝管が延ばされ、これら給水枝管はヘッダーに接続され、該ヘッダーは給水源に接続され、該ヘッダーを通じて各放熱器の加湿部に給水されるようになされていることを特徴とする暖房システム。
【請求項４】
各給水枝管を個別に開閉して給水を行うことができるようになされている請求項２又は３に記載の暖房システム。
【発明の詳細な説明】
【０００１】
【発明の属する技術分野】
本発明は、温水暖房機及び加湿機能付き暖房システムに関する。
【０００２】
【従来の技術及び課題】
室内の暖房に温水を用いる温水暖房において、暖房をしても室内が暖かく感じられないことがあり、そのような場合に暖房を強くすることが行われるが、暖房を強くしても暖かく感じられず、更に暖房を強くして、暖房コストだけを上昇させてしまうことがある。
【０００３】
本発明は、上記のような問題点に鑑み、暖房コストを低く抑えながら、室内を暖かく暖房することができる温水暖房機を提供することを課題の一つとする。
【０００４】
【課題を解決するための手段】
かかる課題において、本発明者らは、上記のような事態が発生する原因を究明すべく、種々の調査研究、そして実験を重ねた結果、その原因が、温水によって暖房される室内の湿度に原因があることを突き止めるに至り、本発明を完成させた。
【０００５】
即ち、本発明は、室内を加温する温水暖房用放熱器に、該放熱器の熱で水分を蒸発させ室内を加湿する加湿部が付属して備えられていることを特徴とする温水暖房機を、内容の一つとする。
【０００６】
この温水暖房機によれば、放熱器の熱で水分を蒸発させ室内を加湿する加湿部が付属して備えられているので、暖房中、室内が加湿され、そのため、体感温度を高くすることができて、室内を暖かく感じられるようにすることができる。従って、暖房を強くすることが行われなくなり、暖房コストを低くすることができる。しかも、加湿部は、温水暖房用放熱器そのものに付属して備えられ、加湿部の水分を放熱器の熱で蒸発させて室内を加湿するものであるから、加湿のための熱源を別途用意する必要がなく、簡素な機構で室内を加湿することができる。
【０００７】
即ち、本発明は、温水暖房機を対象とし、温水暖房機が、暖房を強くする操作をしただけでは室内をそれに見合うようには暖かくすることができないという問題背景のあるのなかで、効きの良い温水暖房機をはじめて実現したものである。
【０００８】
また、本発明は、室内を加温する温水暖房用放熱器が複数備えられ、各放熱器に、該放熱器の熱で水分を蒸発させ室内を加湿する加湿部が付属して備えられ、各放熱器に備えられた加湿部に水分を供給する給水枝管が延ばされ、これら給水枝管はヘッダーに接続され、該ヘッダーは給水源に接続され、該ヘッダーを通じて各放熱器の加湿部に給水されるようになされていることを特徴とする温水暖房システムも内容の一つとする。
【０００９】
この温水暖房システムでは、温水暖房用の放熱器が屋内の複数の室に備えられるような場合に、各放熱器が加湿部を備えているにもかかわらず、加湿部に給水をするのが厄介なために、加湿が行われず、そのために、室内を暖かくできないにもかかわらず暖房コストが高くついてしまうという問題を解決するためになされたものである。
【００１０】
即ち、本システムによれば、各放熱器の加湿部には給水枝管が延ばされ、各給水枝管から各放熱器の加湿部に給水を行うことができるので、各放熱器加湿部への給水を容易に行うことができる。しかも、各給水枝管はヘッダーに接続され、ヘッダーは給水源に接続され、ヘッダーを通じて各放熱器の加湿部に給水されるようになされているので、各加湿部への給水系を簡素なものにすることができる。
【００１１】
また、本発明は、室内を加温する放熱器が複数備えられ、各放熱器に、該放熱器の熱で水分を蒸発させ室内を加湿する加湿部が付属して備えられ、各放熱器に備えられた加湿部に水分を供給する給水枝管が延ばされ、これら給水枝管はヘッダーに接続され、該ヘッダーは給水源に接続され、該ヘッダーを通じて各放熱器の加湿部に給水されるようになされていることを特徴とする暖房システムも、内容の一つとしている。
【００１２】
この暖房システムにおいても、放熱器が温水暖房用のものであるか否かにかかわらず、各放熱器加湿部への給水を容易に行うことができる。
【００１３】
また、上記の各システムにおいて、各給水枝管を個別に開閉して給水を行うことができるようになされている場合は、各放熱器ごとに適時に加湿のための給水を行っていくことができる。
【００１４】
【発明の実施の形態】
次に、本発明の実施形態を図面に基づいて説明する。
【００１５】
図１（イ）に示す温水暖房機の放熱器１において、２は温水管であり、温水管２に温水が通されることにより放熱が行われ、室内が暖房されるようになされている。この放熱器１に加湿部３が付属して備えられている。加湿部３は、放熱器１の熱で水分を蒸発させ、室内を加湿するようになされているもので、本実施形態では、放熱器１の上部に不織布３ａが設置され、この不織布３ａに含ませた水分を放熱器１から発する熱で蒸発させ、室内を加湿するようになされている。
【００１６】
上記の放熱器１は、図１（ロ）に示すように、例えば住宅用建物や事務所建物内の複数箇所に設置されて、複数放熱器型温水暖房システム用の放熱器として用いられる。この温水暖房システムにおいて、各放熱器１…の加湿部への給水は、次のような給水機構によって行われるようになされている。即ち、４は給水用のヘッダーであり、このヘッダー４には複数本の給水枝管５…が接続され、各給水枝管５…が図１（イ）に示すように各放熱器１の加湿部３に延ばされ、給水枝管５からの給水によって不織布３ａに加湿のための水分が補給されるようになされている。また、ヘッダー４には給水源としての水道管６が接続され、各枝管５…には開閉用のコック７…が備えられ、各放熱器１…の各加湿部３に個別に給水を行うことができるようになされている。なお、ヘッダー４は冬期でも保温性があって水道管６との接続が容易な、建物の床下空間部８などに設置しておくとよい。
【００１７】
上記の温水暖房機では、図１（イ）に示すように、放熱器１に加湿部３が付属して備えられ、放熱器１から発する熱で加湿部３の水分を蒸発させ室内が加湿されるようになされているので、放熱器１からの放熱による暖房中、体感温度を高くすることができて、室内を暖かく感じられるようにすることができる。従って、温水式の暖房機でありながら、暖房を強くしなくとも室内を暖かくすることができて、暖房コストを低く抑えることができる。しかも、加湿部３は、水分を放熱器１の熱で蒸発させて室内を加湿するものであるから、加湿のための熱源を別途に必要とせず、簡素な機構で室内を加湿することができる。
【００１８】
また、上記の温水暖房システムでは、各放熱器１…の加湿部３にヘッダー４からの給水枝管５…が延ばされ、各給水枝管５から各放熱器１…の加湿部３に給水を行うことができるようになされているので、各放熱器１…の加湿部３への給水を容易に行うことができる。しかも、各給水枝管５…はヘッダー４に接続され、ヘッダー４に水道管６が接続されているので、各加湿部３への給水系も簡素である。加えて、給水枝管５ごとに開閉コック７が備えられて、各加湿部３への水補給を個別に行うことができるようになされているから、各放熱器１の加湿部ごとに加湿のための給水を適時に行っていくことができる。
【００１９】
以上に、本発明の実施形態を示したが、本発明はこれに限られるものではなく、発明思想を逸脱しない範囲で各種の変更が可能である。例えば、上記の実施形態では、加湿部３として、不織布３ａを用いたものを示しているが、放熱器の上部に皿を設け、皿内に入れた水を放熱器１から発する熱で蒸発させる式のものなど、各種式の加湿部が用いられてよい。
【００２０】
また、複数の放熱器を備える暖房システムにおいて、その放熱器が温水式のものであるか否かを問わず、そのような各放熱器に、該放熱器の熱で水分を蒸発させ室内を加湿する加湿部を付属して備えさせ、各放熱器に備えられた加湿部に水分を供給する給水枝管が延ばされ、これら給水枝管をヘッダーに接続し、該ヘッダーを給水源に接続し、該ヘッダーを通じて各放熱器の加湿部に給水されるようになされている構成とするのもよい。この場合であっても、放熱器が複数備えられているにもかかわらず各放熱器加湿部への給水を容易に行っていくことができる。
【００２１】
【発明の効果】
本発明の温水暖房機は、以上のとおりのものであるから、暖房コストを低く抑えながら、室内を暖かく暖房することができる。また、本発明の暖房システムによれば、各放熱器に備えられた加湿部への水補給を容易に行っていくことができる。
【図面の簡単な説明】
【図１】実施形態を示すもので、図（イ）は温水暖房用の放熱器の一例を示す斜視図、図（ロ）は温水暖房システムが設置された建物の内部正面図である。
【符号の説明】
１…温水暖房用放熱器
３…加湿部
４…ヘッダー
５…給水枝管
６…水道管（給水源）
【図１】
2004301407.tif 000003